(57)【要約】【課題】  安価な構造で振動音の発生及び粉噴き現象を解消し落下衝撃に有効に耐える。【解決手段】  互いに嵌合するフロントキャビネット１及びリアキャビネット２と、その両キャビネット１，２内に収納される液晶パネル３とを有し、フロントキャビネット１の前面開口部１ａに沿って該フロントキャビネット１の裏面に正面視略ロ字状支持枠４が一体突設され、その支持枠４に液晶パネル３を押し付けるようにした薄型表示装置において、支持枠４のベゼル対向面４ａが先すぼまり状に形成されてベゼル３ａに対して線接触状態で当接され、その支持枠４から所定間隔ｓをおいてフロントキャビネット１の裏面に正面視略ロ字状押さえ枠９が一体突設され、該押さえ枠９のベゼル対向面９ａが所定幅ｔの平面状に形成されて支持枠４に当接するベゼル３ａに対して極小幅ｍの空隙αをおいて平行状態で対向されている。【選択図】        図１
2008309890.tif 000002
【特許請求の範囲】
【請求項１】
互いに嵌合するフロントキャビネット及びリアキャビネットと、その両キャビネット内
に収納される表示装置本体とを有し、前記フロントキャビネットの前面開口部に沿って該
フロントキャビネットの裏面に正面視略ロ字状支持枠が一体突設されると共に、その支持
枠よりも外側でフロントキャビネットの裏面に所定間隔をおいて複数のボス部が形成され
、前記表示装置本体の前面外周縁にベゼルが設けられると共に、その表示装置本体の後面
から側方に後面部材が突出されており、前記表示装置本体をフロントキャビネット内に挿
入してベゼルを支持枠に当接させ、前記後面部材に係合する複数のビスを前記各ボス部の
中心孔にねじ込むことにより、表示装置本体を支持枠に押し付けるようにした薄型表示装
置において、前記支持枠のベゼル対向面が先すぼまり状に形成されてベゼルに対して線接
触状態で当接され、その支持枠から所定間隔をおいてフロントキャビネットの裏面に正面
視略ロ字状押さえ枠が一体突設され、該押さえ枠のベゼル対向面が所定幅の平面状に形成
されて支持枠に当接するベゼルに対して極小幅の空隙をおいて平行状態で対向されている
ことを特徴とする薄型表示装置。
【請求項２】
前記空隙の幅が０．１〜０．３ｍｍ（好ましくは０．１５〜０．２５ｍｍ）に設定され
ていることを特徴とする請求項１に記載の薄型表示装置。
【請求項３】
前記押さえ枠が支持枠とボス部との間で該支持枠に接近してフロントキャビネットの裏
面に一体突設されていることを特徴とする請求項１または２に記載の薄型表示装置。
【請求項４】
前記支持枠がベゼルの横断方向に沿ってその中央に当接されていることを特徴とする請
求項１〜３のいずれかに記載の薄型表示装置。
【請求項５】
互いに嵌合するフロントキャビネット及びリアキャビネットと、その両キャビネット内
に収納される液晶パネルとを有し、前記フロントキャビネットの前面開口部に沿って該フ
ロントキャビネットの裏面に正面視略ロ字状支持枠が一体突設されると共に、その支持枠
よりも外側でフロントキャビネットの裏面に所定間隔をおいて複数のボス部が形成され、
前記液晶パネルの前面外周縁にベゼルが設けられると共に、その液晶パネルの後面から側
方に後面部材が突出されており、前記液晶パネルをフロントキャビネット内に挿入してベ
ゼルを支持枠に当接させ、前記後面部材に係合する複数のビスを前記各ボス部の中心孔に
ねじ込むことにより、液晶パネルを支持枠に押し付けるようにした薄型表示装置において
、前記支持枠のベゼル対向面が先すぼまり状に形成されてベゼルに対して該ベゼルの横断
方向に沿ってその中央に線接触状態で当接され、前記支持枠とボス部との間で該支持枠に
接近してフロントキャビネットの裏面に正面視略ロ字状押さえ枠が一体突設され、該押さ
え枠のベゼル対向面が所定幅の平面状に形成されて支持枠に当接するベゼルに対して極小
幅の空隙をおいて平行状態で対向され、その空隙の幅が０．１〜０．３ｍｍ（好ましくは
０．１５〜０．２５ｍｍ）に設定されていることを特徴とする薄型表示装置。
【発明の詳細な説明】
【技術分野】
【０００１】
本発明は、例えば液晶テレビや液晶モニターなどの薄型表示装置に関し、特に、安価な
構造で振動音の発生及び粉噴き現象を解消し落下衝撃に有効に耐えることができるように
したものである。
【背景技術】
【０００２】
従来、薄型表示装置の一例として図６の斜視図に示すものがあり、これは液晶テレビで
あって、互いに嵌合する合成樹脂からなるフロントキャビネット１及びリアキャビネット
２と、その両キャビネット１，２内に収納される液晶パネル（表示装置本体）３とを有し
、前記フロントキャビネット１の前面開口部１ａに沿って該フロントキャビネット１の裏
面に正面視略ロ字状支持枠４が一体突設されると共に、その支持枠４よりも外側でフロン
トキャビネット１の裏面に所定間隔をおいて複数のボス部８（図２参照）が形成され、前
記液晶パネル３の前面外周縁にベゼル３ａが設けられると共に、その液晶パネル３の後面
から側方に後面部材３ｂが突出されている。
【０００３】
組立手順を説明すると、液晶パネル３をフロントキャビネット１内に挿入してベゼル３
ａを支持枠４のベゼル対向面４ａに面接触状態で当接させ、後面部材３ｂに係合する複数
のビス５を各ボス部８の中心孔にねじ込み、これにより発生した押付力Ｆで液晶パネル３
を支持枠４のベゼル対向面４ａに押し付けて、該液晶パネル３をキャビネット１，２内の
所定位置に固定する。
【０００４】
前記液晶パネル３は、その前部に設けた液晶セルを後方の冷陰極管（ＣＣＦＬ）で照ら
すことにより映像を表示する。なお、関連する技術として特許文献１に記載したものがあ
る。
【特許文献１】特開平７−２５５０２４号公報
【発明の開示】
【発明が解決しようとする課題】
【０００５】
上記従来の構成では、支持枠４のベゼル対向面４ａが液晶パネル３のベゼル３ａに面接
触されているため、例えば落下による衝撃が液晶パネル３にかかった場合に、その落下に
よる衝撃を支持枠４で確実に受け止めて、液晶パネル３が所定位置から不測に動かないよ
うに支持することができる。
【０００６】
しかし、支持枠４のベゼル対向面４ａとベゼル３ａとの接触幅ｈが比較的広いため、ビ
ス５による押付力Ｆがベゼル対向面４ａの全体に分散してかかり、そのベゼル対向面４ａ
をベゼル３ａに全周にわたって密着させることが困難であり、ベゼル対向面４ａとベゼル
３ａとの間に隙間が生じやすく、その隙間の存在により液晶パネル３に加わる振動でベゼ
ル対向面４ａとベゼル３ａとが擦れあって、所謂ビビリと称する振動音が発生してユーザ
ーに不快感を与えると共に、粉噴き現象が生じ、その粉噴き現象により生じた粉が液晶パ
ネル３の表面に付着して商品価値を下げることがある。
【０００７】
図７は従来の他の例を示す要部の拡大断面図であって、支持枠４のベゼル対向面４ａに
不織布６を貼着し、その不織布６を介してベゼル３ａをベゼル対向面４ａに押し付けてお
り、これによると、振動音の発生を阻止し、粉噴き現象を解消することができるが、その
不織布６をベゼル対向面４ａに貼着するのに手間と時間とがかかって面倒であると共に、
部品点数が増加して、製作費が高くつくという欠点がある。
【０００８】
本発明は、上記従来の欠点に鑑み、安価な構造で振動音の発生及び粉噴き現象を解消し
落下衝撃に有効に耐えることができるようにした薄型表示装置を提供することを目的とし
ている。
【課題を解決するための手段】
【０００９】
上記目的を達成するため、請求項１に記載の発明は、互いに嵌合するフロントキャビネ
ット及びリアキャビネットと、その両キャビネット内に収納される表示装置本体とを有し
、前記フロントキャビネットの前面開口部に沿って該フロントキャビネットの裏面に正面
視略ロ字状支持枠が一体突設されると共に、その支持枠よりも外側でフロントキャビネッ
トの裏面に所定間隔をおいて複数のボス部が形成され、前記表示装置本体の前面外周縁に
ベゼルが設けられると共に、その表示装置本体の後面から側方に後面部材が突出されてお
り、前記表示装置本体をフロントキャビネット内に挿入してベゼルを支持枠に当接させ、
前記後面部材に係合する複数のビスを前記各ボス部の中心孔にねじ込むことにより、表示
装置本体を支持枠に押し付けるようにした薄型表示装置において、前記支持枠のベゼル対
向面が先すぼまり状に形成されてベゼルに対して線接触状態で当接され、その支持枠から
所定間隔をおいてフロントキャビネットの裏面に正面視略ロ字状押さえ枠が一体突設され
、該押さえ枠のベゼル対向面が所定幅の平面状に形成されて支持枠に当接するベゼルに対
して極小幅の空隙をおいて平行状態で対向されていることを特徴としている。
【００１０】
請求項２記載の発明は、請求項１に記載の発明において、前記空隙の幅が０．１〜０．
３ｍｍ（好ましくは０．１５〜０．２５ｍｍ）に設定されていることを特徴としている。
【００１１】
請求項３に記載の発明は、請求項１または２に記載の発明において、前記押さえ枠が支
持枠とボス部との間で該支持枠に接近してフロントキャビネットの裏面に一体突設されて
いることを特徴としている。
【００１２】
請求項４に記載の発明は、請求項１〜３のいずれかに記載の発明において、前記支持枠
がベゼルの横断方向に沿ってその中央に当接されていることを特徴としている。
【００１３】
請求項５に記載の発明は、互いに嵌合するフロントキャビネット及びリアキャビネット
と、その両キャビネット内に収納される液晶パネルとを有し、前記フロントキャビネット
の前面開口部に沿って該フロントキャビネットの裏面に正面視略ロ字状支持枠が一体突設
されると共に、その支持枠よりも外側でフロントキャビネットの裏面に所定間隔をおいて
複数のボス部が形成され、前記液晶パネルの前面外周縁にベゼルが設けられると共に、そ
の液晶パネルの後面から側方に後面部材が突出されており、前記液晶パネルをフロントキ
ャビネット内に挿入してベゼルを支持枠に当接させ、前記後面部材に係合する複数のビス
を前記各ボス部の中心孔にねじ込むことにより、液晶パネルを支持枠に押し付けるように
した薄型表示装置において、前記支持枠のベゼル対向面が先すぼまり状に形成されてベゼ
ルに対して該ベゼルの横断方向に沿ってその中央に線接触状態で当接され、前記支持枠と
ボス部との間で該支持枠に接近してフロントキャビネットの裏面に正面視略ロ字状押さえ
枠が一体突設され、該押さえ枠のベゼル対向面が所定幅の平面状に形成されて支持枠に当
接するベゼルに対して極小幅の空隙をおいて平行状態で対向され、その空隙の幅が０．１
〜０．３ｍｍ（好ましくは０．１５〜０．２５ｍｍ）に設定されていることを特徴として
いる。
【発明の効果】
【００１４】
請求項１に記載の発明によれば、支持枠のベゼル対向面が先すぼまり状に形成されて表
示装置本体のベゼルに対して線接触状態で当接され、その線接触部分に押付力が集中して
かかっているから、支持枠のベゼル対向面がその全周にわたって表示装置本体のベゼルに
密着されており、従来のように表示装置本体に加わる振動で支持枠のベゼル対向面と表示
装置本体のベゼルとの間で所謂ビビリと称する振動音が発生することが無くなり、ユーザ
ーに対して静かな快適環境を提供することができると共に、従来のように粉噴き現象によ
り生じた粉が表示装置本体の表面に付着することも無く、商品価値を長期にわたって高く
維持することができる。
【００１５】
また、例えば落下による衝撃が表示装置本体にかかった場合には、その衝撃で表示装置
本体のベゼルにより支持枠のベゼル対向面の線接触部分が押し下げられ、その支持枠に隣
接する押さえ枠のベゼル対向面にベゼルが当たって衝撃が受け止められるから、表示装置
本体を所定位置から不測に動かないように確実に支持することができる。
【００１６】
請求項２に記載の発明において、押さえ枠のベゼル対向面とベゼルとの間の空隙の幅が
０．１ｍｍ未満の場合には、寸法誤差などにより、初期の段階から表示装置本体のベゼル
が押さえ枠のベゼル対向面に当接される状態となることがあり、これでは、表示装置本体
に加わる振動で押さえ枠のベゼル対向面とベゼルとが擦れあって、所謂ビビリと称する振
動音が発生してユーザーに不快感を与えると共に、粉噴き現象が生じ、その粉噴き現象に
より生じた粉が表示装置本体の表面に付着して商品価値を下げることになる。
【００１７】
また、押さえ枠のベゼル対向面とベゼルとの間の空隙の幅が０．３ｍｍを超える場合に
は、例えば落下による衝撃が表示装置本体にかかり、その衝撃で表示装置本体のベゼルに
より支持枠のベゼル対向面の線接触部分が押し下げられても、その表示装置本体のベゼル
が押さえ枠のベゼル対向面に当たらず、支持枠に衝撃が集中してかかって、その支持枠が
損傷または変形され、表示装置本体を所定通りに支持することができなくなる。
【００１８】
そこで、本発明によれば、押さえ枠のベゼル対向面とベゼルとの間の空隙の幅が０．１
〜０．３ｍｍ（好ましくは０．１５〜０．２５ｍｍ）に設定されており、これによって、
通常は、押さえ枠のベゼル対向面が表示装置本体のベゼルに接触せず、支持枠のベゼル対
向面のみが全周にわたって表示装置本体のベゼルに線接触状態で当接されているから、従
来のように表示装置本体に加わる振動でベゼル対向面とベゼルとの間で所謂ビビリと称す
る振動音が発生することが無くなり、ユーザーに対して静かな快適環境を提供することが
できると共に、従来のように粉噴き現象により生じた粉が表示装置本体の表面に付着する
ことも無く、商品価値を長期にわたって高く維持することができる。
【００１９】
また、例えば落下による衝撃が表示装置本体にかかった場合には、その衝撃で表示装置
本体のベゼルにより支持枠のベゼル対向面の線接触部分が押し下げられ、その支持枠に隣
接する押さえ枠のベゼル対向面にベゼルが当たって衝撃が受け止められるから、表示装置
本体が所定位置から不測に動かないように確実に支持することができる。
【００２０】
請求項３に記載の発明によれば、複数のビスを各ボス部の中心孔にねじ込むことにより
、表示装置本体を支持枠に押し付けて固定するようになっており、その表示装置本体の固
定手段であるボス部と支持枠との間に押さえ枠が位置されているから、その押さえ枠とベ
ゼルとの間の空隙の幅を所望通りに精密に設定することができる。
【００２１】
また、押さえ枠が支持枠に接近しているから、例えば落下による衝撃で表示装置本体の
ベゼルにより支持枠のベゼル対向面の線接触部分が押し下げられると、その衝撃を押さえ
枠で直ちに受け止めて、表示装置本体を所定位置から不測に動かないように確実に押さえ
ることができる。
【００２２】
請求項４に記載の発明によれば、例えば支持枠をベゼルの中央から外れた内側縁または
外側縁に押し付けると、その押付力によりベゼルが変位されて表示装置本体に局部的に負
荷がかかり、その負荷により表示装置本体の表示面に色むらが生じるおそれがあるが、本
発明によれば、支持枠をベゼルの中央に押し付けるようになっており、その押付力がベゼ
ルの全体に均等にかかるので、そのベゼルが変位されることがなく、表示装置本体の表示
面を色むらが生じない鮮明状態にすることができる。
【００２３】
請求項５に記載の発明において、押さえ枠のベゼル対向面とベゼルとの間の空隙の幅が
０．１ｍｍ未満の場合には、寸法誤差などにより、初期の段階から液晶パネルのベゼルが
押さえ枠のベゼル対向面に当接される状態となることがあり、これでは、液晶パネルに加
わる振動で押さえ枠のベゼル対向面とベゼルとが擦れあって、所謂ビビリと称する振動音
が発生してユーザーに不快感を与えると共に、粉噴き現象が生じ、その粉噴き現象により
生じた粉が液晶パネルの表面に付着して商品価値を下げることになる。
【００２４】
また、押さえ枠のベゼル対向面とベゼルとの間の空隙の幅が０．３ｍｍを超える場合に
は、例えば落下による衝撃が液晶パネルにかかり、その衝撃で液晶パネルのベゼルにより
支持枠のベゼル対向面の線接触部分が押し下げられても、その液晶パネルのベゼルが押さ
え枠のベゼル対向面に当たらず、支持枠に衝撃が集中してかかって、その支持枠が損傷ま
たは変形され、液晶パネルを所定通りに押さえることができなくなる。
【００２５】
そこで、本発明によれば、押さえ枠のベゼル対向面とベゼルとの間の空隙の幅が０．１
〜０．３ｍｍ（好ましくは０．１５〜０．２５ｍｍ）に設定されており、これによって、
通常は、押さえ枠のベゼル対向面が液晶パネルのベゼルに接触せず、支持枠のベゼル対向
面のみが全周にわたって液晶パネルのベゼルに線接触状態で当接され、その線接触部分に
押付力が集中してかかるから、支持枠のベゼル対向面がその全周にわたって液晶パネルの
ベゼル３ａに密着されており、従来のように液晶パネルに加わる振動でベゼル対向面とベ
ゼルとの間で所謂ビビリと称する振動音が発生することが無くなり、ユーザーに対して静
かな快適環境を提供することができると共に、従来のように粉噴き現象により生じた粉が
液晶パネルの表面に付着することも無く、商品価値を長期にわたって高く維持することが
できる。
【００２６】
また、例えば落下による衝撃が液晶パネルにかかった場合には、その衝撃で液晶パネル
のベゼルにより支持枠のベゼル対向面の線接触部分が押し下げられ、その支持枠に隣接す
る押さえ枠のベゼル対向面にベゼルが当たって衝撃が受け止められるから、液晶パネルが
所定位置から不測に動かないように確実に押さえることができる。
【００２７】
更に、複数のビスを各ボス部の中心孔にねじ込むことにより、液晶パネルを支持枠に押
し付けて固定するようになっており、その液晶パネルの固定手段であるボス部と支持枠と
の間に押さえ枠が位置されているから、その押さえ枠とベゼルとの間の空隙の幅を所望通
りに精密に設定することができる。
【００２８】
また、押さえ枠が支持枠に接近しているから、例えば落下による衝撃で液晶パネルのベ
ゼルにより支持枠のベゼル対向面の線接触部分が押し下げられると、その衝撃を押さえ枠
で直ちに受け止めて、液晶パネルを所定位置から不測に動かないように確実に押さえるこ
とができる。
【００２９】
しかも、例えば支持枠をベゼルの中央から外れた内側縁または外側縁に押し付けると、
その押付力によりベゼルが変位されて液晶パネルに局部的に負荷がかかり、その負荷によ
り液晶パネルの表示面に色むらが生じるおそれがあるが、本発明によれば、支持枠をベゼ
ルの中央に押し付けるようになっており、その押付力がベゼルの全体に均等にかかるので
、そのベゼルが変位されることがなく、液晶パネルの表示面を色むらが生じない鮮明状態
にすることができる。
【００３０】
要するに、安価な構造で振動音の発生及び粉噴き現象を解消し落下衝撃に有効に耐える
ことができるようにした液晶テレビや液晶モニターを提供するものである。
【発明を実施するための最良の形態】
【００３１】
図１〜図４は本発明の実施の一形態をである薄型表示装置を示すものであり、これは液
晶テレビであって、図１は同斜視図、図２は同水平断面図、図３は同要部の水平断面図、
図４は同衝撃受け止め状態を示す要部の拡大断面図である。
【００３２】
図１〜図３に示すように、フロントキャビネット１の前面開口部１ａに沿って該フロン
トキャビネット１の裏面に一体突設した正面視略ロ字状支持枠４のベゼル対向面４ａが半
径ｒの横断面半円形状に形成することにより先すぼまり状に形成され、液晶パネル３のベ
ゼル３ａの横断方向に沿う全幅ｋの中央（１／２ｋ）にベゼル対向面４ａの先端が線接触
状態で当接され、その支持枠４よりも外側でフロントキャビネット１の裏面に所定間隔を
おいて複数のボス部８が形成され、液晶パネル３の後面部材３ｂに係合する複数のビス５
を各ボス部８の中心孔にねじ込むことにより、その液晶パネル３を支持枠４に押し付け、
支持枠４とボス部８との間で該支持枠４に接近してフロントキャビネット１の裏面に正面
視略ロ字状押さえ枠９が一体突設され、該押さえ枠９のベゼル対向面９ａが所定幅ｔの平
面状に形成されて支持枠４に当接するベゼル３ａに対して極小幅の空隙αをおいて平行状
態で対向されている。上記以外の構成で図６に示す構成と同じ部分に同一符号を付してそ
の説明を省略する。
【００３３】
ここで、空隙αの幅ｍが０．１ｍｍ未満の場合には、寸法誤差などにより、初期の段階
から液晶パネル３のベゼル３ａが押さえ枠９のベゼル対向面９ａに当接される状態となる
ことがあり、これでは、液晶パネル３に加わる振動で押さえ枠９のベゼル対向面９ａとベ
ゼル３ａとが擦れあって、所謂ビビリと称する振動音が発生してユーザーに不快感を与え
ると共に、粉噴き現象が生じ、その粉噴き現象により生じた粉が液晶パネル３の表面に付
着して商品価値を下げることになる。
【００３４】
また、空隙αの幅ｍが０．３ｍｍを超える場合には、例えば落下による衝撃が液晶パネ
ル３にかかり、その衝撃で液晶パネル３のベゼル３ａにより支持枠４のベゼル対向面４ａ
の線接触部分Ａが押し下げられても、その液晶パネル３のベゼル３ａが押さえ枠９のベゼ
ル対向面９ａに当たらず、支持枠４に衝撃が集中してかかって、その支持枠４が損傷また
は変形され、液晶パネル３を所定通りに押さえることができなくなる。
【００３５】
そこで、本発明によれば、空隙αの幅ｍが０．１〜０．３ｍｍ（好ましくは０．１５〜
０．２５ｍｍ）に設定されており、これによって、図１に示すように、通常は、押さえ枠
９のベゼル対向面９ａが液晶パネル３のベゼル３ａに接触せず、支持枠４のベゼル対向面
４ａのみが全周にわたって液晶パネル３のベゼル３ａに線接触状態で当接され、その線接
触部分Ａに押付力Ｆが集中してかかるから、支持枠４のベゼル対向面４ａがその全周にわ
たって液晶パネル３のベゼル３ａに密着されており、従来のように液晶パネル３に加わる
振動でベゼル対向面４ａとベゼル３ａとの間で所謂ビビリと称する振動音が発生すること
が無くなり、ユーザーに対して静かな快適環境を提供することができると共に、従来のよ
うに粉噴き現象により生じた粉が液晶パネル３の表面に付着することも無くなく、商品価
値を長期にわたって高く維持することができる。
【００３６】
また、図４に示すように、例えば落下による衝撃が液晶パネル３にかかった場合には、
その衝撃で液晶パネル３のベゼル３ａにより支持枠４のベゼル対向面４ａの線接触部分Ａ
が押し下げられ、その支持枠４に隣接する押さえ枠９のベゼル対向面９ａにベゼル３ａが
当たって衝撃が受け止められるから、液晶パネル３が所定位置から不測に動かないように
確実に押さえることができる。
【００３７】
具体的寸法の一例を示すと、図１において、支持枠４のベゼル対向面４ａの半径ｒが１
ｍｍ、支持枠４と押さえ枠９との中心間の間隔ｓが３ｍｍ、押さえ枠９のベゼル対向面９
ａの幅ｔが２ｍｍ、空隙αの幅ｍが０．２ｍｍである。図３において、ベゼル３ａの幅ｋ
が２０ｍｍである。
【００３８】
図２及び図３に示すように、複数のビス５を各ボス部８の中心孔にねじ込むことにより
、液晶パネル３を支持枠４に押し付けて固定するようになっており、その液晶パネル３の
固定手段であるボス部８と支持枠４との間に押さえ枠９が位置されているから、その押さ
え枠９とベゼル３ａとの間の空隙αの幅ｍを所望通りに精密に設定することができる。
【００３９】
また、支持枠４と押さえ枠９との中心間の間隔ｓが極めて小さく設定されており、押さ
え枠９が支持枠４に接近しているから、例えば落下による衝撃で液晶パネル３のベゼル３
ａにより支持枠４のベゼル対向面４ａの線接触部分Ａが押し下げられると、その衝撃を押
さえ枠９で直ちに受け止めて、液晶パネル３を所定位置から不測に動かないように確実に
押さえることができる（図４参照）。
【００４０】
図３に示すように、例えば支持枠４をベゼル３ａの中央から外れた内側縁Ｂまたは外側
縁Ｃに押し付けると、その押付力によりベゼル３ａが変位されて液晶パネル３に局部的に
負荷がかかり、その負荷により液晶パネル３の表示面に色むらが生じるおそれがあるが、
本発明によれば、ベゼル３ａの全幅ｋの中央（１／２ｋ）に支持枠４を押しつけるように
なっており、その押付力がベゼル３ａの全体に均等にかかるので、そのベゼル３ａが変位
されることがなく、液晶パネル３の表示面を色むらが生じない鮮明状態にすることができ
る。
【００４１】
要するに、安価な構造で振動音の発生及び粉噴き現象を解消し落下衝撃に有効に耐える
ことができるようにした液晶テレビや液晶モニターを提供するものである。
【００４２】
図５は支持枠４の変形例を示す要部の拡大断面図であって、支持枠４の先端部を鋭角山
形状に形成して、該支持枠４のベゼル対向面４ａを先すぼまり状の山形傾斜面とすること
により、そのベゼル対向面４ａの先端である線接触部分Ａをベゼル３ａに対して線接触状
態で当接させており、その作用効果は図１〜図４に示す構成とほぼ同じであるから、その
説明を省略する。
【図面の簡単な説明】
【００４３】
【図１】本発明の実施の一形態である薄型表示装置を示す斜視図である。
【図２】同水平断面図である。
【図３】同要部の水平断面図である。
【図４】同衝撃受け止め状態を示す要部の拡大断面図である。
【図５】同支持枠の変形例を示す要部の拡大断面図である。
【図６】従来の一例を示す斜視図である。
【図７】従来の他の例を示す要部の拡大断面図である。
【符号の説明】
【００４４】
１          フロントキャビネット
１ａ        フロントキャビネットの前面開口部
２          リアキャビネット
３          液晶パネル（表示装置本体）
３ａ        液晶パネルのベゼル
３ｂ        液晶パネルの後面部材
４          支持枠
４ａ        支持枠のベゼル対向面
５          ビス
８          ボス部
９          押さえ枠
９ａ        押さえ枠のベゼル対向面
Ａ          支持枠のベゼル対向面の線接触部分
α          空隙
ｍ          空隙の幅
【図１】
2008309890.tif 000003
【図２】
2008309890.tif 000004
【図３】
2008309890.tif 000005
【図４】
2008309890.tif 000006
【図５】
2008309890.tif 000007
【図６】
2008309890.tif 000008
【図７】
2008309890.tif 000009